【手続補正書】
【提出日】平成16年7月21日(2004.7.21)
【手続補正１】
【補正対象書類名】明細書
【補正対象項目名】特許請求の範囲
【補正方法】変更
【補正の内容】
【特許請求の範囲】
【請求項１】
出荷枠を設定した販売契約を管理するための販売管理システムであって、
商品の販売契約において定められた前記商品の出荷枠に関する情報を、前記販売契約の識別情報を付して格納する出荷枠情報格納手段と、
前記販売契約の対象である商品の出荷指示を受け付けると、前記販売契約の識別情報をキーに前記出荷情報格納手段に格納された前記商品の出荷枠に関する情報を特定する出荷枠情報特定手段と、
前記商品について、前記商品の出荷枠の枠残高に対応した販売者の預かり在庫の数量に関する情報を含む前記商品の在庫数量に関する情報を格納する在庫情報格納手段と、
前記出荷指示を受け付けると、前記出荷指示により指示された出荷数量から出荷後の在庫数量を算出して、前記在庫情報格納手段に格納された在庫数量を更新する在庫数量更新手段と、を備えており、
前記出荷指示により指示された出荷数量が、前記出荷枠情報特定手段が特定した出荷枠の範囲内である場合には、前記在庫数量更新手段は前記出荷数量を前記在庫情報格納手段の預かり在庫の数量から減じること
を特徴とする販売管理システム。
【請求項２】
前記出荷指示が前記販売契約にかかる最初の出荷指示である場合には、前記在庫数量更新手段は前記出荷枠の全ての数量に対応する在庫数量を算出して、前記在庫情報格納手段に前記在庫数量又は前記在庫数量から前記出荷指示により出荷される数量を減じた数量を預かり在庫の数量として記録すること
を特徴とする請求項１記載の販売管理システム。
【請求項３】
出荷枠を設定した販売契約を管理するための販売管理システムであって、
商品の販売契約において定められた前記商品の出荷枠に関する情報を、前記販売契約の識別情報を付して格納する出荷枠情報格納手段と、
前記販売契約の対象である商品の出荷指示を受け付けると、前記販売契約の識別情報をキーに前記出荷情報格納手段に格納された前記商品の出荷枠に関する情報を特定する出荷枠情報特定手段と、
商品の売上金額を含む前記商品に関する売上情報を格納する売上情報格納手段と、
商品が出荷されると、前記商品の出荷により計上される売上金額を算出して前記売上情報格納手段に格納された売上情報を更新する売上情報更新手段と、を備えており、
前記出荷指示により指示された出荷数量が、前記出荷枠情報特定手段が特定した出荷枠の範囲内である場合には、前記売上情報更新手段は売上金額をゼロとする前記売上情報の更新を実行するか、又は前記売上情報更新手段を起動しないこと
を特徴とする販売管理システム。
【請求項４】
前記出荷指示が前記販売契約にかかる最初の出荷指示である場合には、前記売上情報更新手段は前記出荷枠の全ての数量に対応する売上金額を算出して、前記売上情報格納手段に売上金額として記録すること
を特徴とする請求項３記載の販売管理システム。
【請求項５】
出荷枠を設定した販売契約を管理するための販売管理システムであって、
商品の販売契約において定められた前記商品の出荷枠に関する情報を、前記販売契約の識別情報を付して格納する出荷枠情報格納手段と、
前記販売契約の対象である商品の出荷指示を受け付けると、前記販売契約の識別情報をキーに前記出荷情報格納手段に格納された前記商品の出荷枠に関する情報を特定する出荷枠情報特定手段と、
商品の棚卸資産残高を含めた資産残高に関する情報を格納する資産情報格納手段と、
商品が出荷されると、前記商品の出荷により計上される棚卸資産の資産残高を算出して前記資産情報格納手段に格納された棚卸資産残高を更新する棚卸資産更新手段と、を備えており、
前記出荷指示により指示された出荷数量が、前記出荷枠情報特定手段が特定した出荷枠の範囲内である場合には、前記棚卸資産更新手段は前記棚卸資産残高から減算する金額をゼロとする前記棚卸資産残高の更新を実行するか、又は前記棚卸資産更新手段を起動しないこと
を特徴とする販売管理システム。
【請求項６】
前記出荷指示が前記販売契約にかかる最初の出荷指示である場合には、前記棚卸資産更新手段は前記出荷枠の全ての数量に対応する資産額を算出して、前記資産情報格納手段に格納された棚卸資産残高から前記資産額を減算して棚卸資産残高を更新すること
を特徴とする請求項５記載の販売管理システム。
【請求項７】
出荷枠を設定した販売契約を管理するための販売管理の方法であって、
販売管理システムが、販売契約の対象である商品の出荷指示を受け付けるステップと、
前記販売管理システムが、前記商品の出荷指示にかかる販売契約の識別情報をキーに、商品の販売契約において定められた前記商品の出荷枠に関する情報を前記販売契約の識別情報を付して格納する出荷枠情報格納部において、前記出荷指示にかかる商品の販売契約にかかる出荷枠に関する情報を特定するステップと、
前記販売管理システムが、前記出荷指示を受け付けると、前記出荷指示により指示された出荷数量から出荷後の在庫数量を算出して、前記商品について、前記商品の出荷枠の枠残高に対応した販売者の預かり在庫の数量に関する情報を含む前記商品の在庫数量に関する情報を格納する在庫管理システムの在庫情報格納部に格納された在庫数量を更新するステップと、を有しており、
前記出荷指示により指示された出荷数量が、前記出荷枠に関する情報を特定するステップで特定した出荷枠の範囲内である場合には、前記在庫数量を更新するステップにおいては、前記出荷数量を前記在庫情報格納部の預かり在庫の数量から減じることを特徴とする販売管理の方法。
【請求項８】
前記出荷指示が前記販売契約にかかる最初の出荷指示である場合には、前記在庫数量を更新するステップにおいては、前記出荷枠の全ての数量に対応する在庫数量を算出して、前記在庫情報格納部に前記在庫数量又は前記在庫数量から前記出荷指示により出荷される数量を減じた数量を預かり在庫の数量として記録すること
を特徴とする請求項７記載の販売管理の方法。
【請求項９】
出荷枠を設定した販売契約を管理するための販売管理の方法であって、
販売管理システムが、販売契約の対象である商品の出荷指示を受け付けるステップと、
前記販売管理システムが、前記商品の出荷指示にかかる販売契約の識別情報をキーに、商品の販売契約において定められた前記商品の出荷枠に関する情報を前記販売契約の識別情報を付して格納する出荷枠情報格納部において、前記出荷指示にかかる商品の販売契約にかかる出荷枠に関する情報を特定するステップと、
前記販売管理システムが、前記出荷指示を受け付けると、前記出荷指示による商品の出荷により計上される売上金額を算出して、商品の売上金額を含む前記商品に関する売上情報を格納する財務会計システムの売上情報格納部に格納された売上情報を更新するステップと、を有しており、
前記出荷指示により指示された出荷数量が、前記出荷枠に関する情報を特定するステップで特定した出荷枠の範囲内である場合には、前記売上情報を更新するステップにおいては、売上金額をゼロとする前記売上情報の更新を実行するか、又は前記売上情報の更新を起動しないことを特徴とする販売管理の方法。
【請求項１０】
前記出荷指示が前記販売契約にかかる最初の出荷指示である場合には、前記売上情報を更新するステップにおいては、前記出荷枠の全ての数量に対応する売上金額を算出して、前記売上情報格納部に売上金額として記録すること
を特徴とする請求項９記載の販売管理の方法。
【請求項１１】
出荷枠を設定した販売契約を管理するための販売管理の方法であって、
販売管理システムが、販売契約の対象である商品の出荷指示を受け付けるステップと、
前記販売管理システムが、前記商品の出荷指示にかかる販売契約の識別情報をキーに、商品の販売契約において定められた前記商品の出荷枠に関する情報を前記販売契約の識別情報を付して格納する出荷枠情報格納部において、前記出荷指示にかかる商品の販売契約にかかる出荷枠に関する情報を特定するステップと、
前記販売管理システムが、前記出荷指示を受け付けると、前記出荷指示による商品の出荷により計上される棚卸資産の資産残高を算出して、商品の棚卸資産残高を含めた資産残高に関する情報を格納する財務会計システムの資産情報格納部に格納された棚卸資産残高を更新するステップと、を有しており、
前記出荷指示により指示された出荷数量が、前記出荷枠に関する情報を特定するステップで特定した出荷枠の範囲内である場合には、前記棚卸資産残高を更新するステップにおいては、前記棚卸資産残高から減算する金額をゼロとする前記棚卸資産残高の更新を実行するか、又は前記棚卸資産残高の更新を起動しないことを特徴とする販売管理の方法。
【請求項１２】
前記出荷指示が前記販売契約にかかる最初の出荷指示である場合には、前記棚卸資産残高を更新するステップにおいては、前記出荷枠の全ての数量に対応する資産額を算出して、前記資産情報格納部に格納された棚卸資産残高から前記資産額を減算して棚卸資産残高を更新すること
を特徴とする請求項１１記載の販売管理の方法。
【手続補正２】
【補正対象書類名】明細書
【補正対象項目名】００１１
【補正方法】変更
【補正の内容】
【００１１】
このような課題を解決するために、本発明は、出荷枠を設定した販売契約を管理するための販売管理システムであって、商品の販売契約において定められた前記商品の出荷枠に関する情報を、前記販売契約の識別情報を付して格納する出荷枠情報格納手段と、前記販売契約の対象である商品の出荷指示を受け付けると、前記販売契約の識別情報をキーに前記出荷情報格納手段に格納された前記商品の出荷枠に関する情報を特定する出荷枠情報特定手段と、前記商品について、前記商品の出荷枠の枠残高に対応した販売者の預かり在庫の数量に関する情報を含む前記商品の在庫数量に関する情報を格納する在庫情報格納手段と、前記出荷指示を受け付けると、前記出荷指示により指示された出荷数量から出荷後の在庫数量を算出して、前記在庫情報格納手段に格納された在庫数量を更新する在庫数量更新手段と、を備えており、前記出荷指示により指示された出荷数量が、前記出荷枠情報特定手段が特定した出荷枠の範囲内である場合には、前記在庫数量更新手段は前記出荷数量を前記在庫情報格納手段の預かり在庫の数量から減じることを特徴とする。前記出荷指示が前記販売契約にかかる最初の出荷指示である場合には、前記在庫数量更新手段は前記出荷枠の全ての数量に対応する在庫数量を算出して、前記在庫情報格納手段に前記在庫数量又は前記在庫数量から前記出荷指示により出荷される数量を減じた数量を預かり在庫の数量として記録することを特徴としてもよい。
【手続補正３】
【補正対象書類名】明細書
【補正対象項目名】００１４
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１９
【補正方法】変更
【補正の内容】
【００１９】
また、本発明の他の態様においては、出荷枠を設定した販売契約を管理するための販売管理システムであって、商品の販売契約において定められた前記商品の出荷枠に関する情報を、前記販売契約の識別情報を付して格納する出荷枠情報格納手段と、前記販売契約の対象である商品の出荷指示を受け付けると、前記販売契約の識別情報をキーに前記出荷情報格納手段に格納された前記商品の出荷枠に関する情報を特定する出荷枠情報特定手段と、商品の売上金額を含む前記商品に関する売上情報を格納する売上情報格納手段と、商品が出荷されると、前記商品の出荷により計上される売上金額を算出して前記売上情報格納手段に格納された売上情報を更新する売上情報更新手段と、を備えており、前記出荷指示により指示された出荷数量が、前記出荷枠情報特定手段が特定した出荷枠の範囲内である場合には、前記売上情報更新手段は売上金額をゼロとする前記売上情報の更新を実行するか、又は前記売上情報更新手段を起動しないことを特徴とする。前記出荷指示が前記販売契約にかかる最初の出荷指示である場合には、前記売上情報更新手段は前記出荷枠の全ての数量に対応する売上金額を算出して、前記売上情報格納手段に売上金額として記録することを特徴としてもよい。
【手続補正６】
【補正対象書類名】明細書
【補正対象項目名】００２１
【補正方法】削除
【補正の内容】
【手続補正７】
【補正対象書類名】明細書
【補正対象項目名】００２３
【補正方法】変更
【補正の内容】
【００２３】
さらに、本発明の他の態様においては、出荷枠を設定した販売契約を管理するための販売管理システムであって、商品の販売契約において定められた前記商品の出荷枠に関する情報を、前記販売契約の識別情報を付して格納する出荷枠情報格納手段と、前記販売契約の対象である商品の出荷指示を受け付けると、前記販売契約の識別情報をキーに前記出荷情報格納手段に格納された前記商品の出荷枠に関する情報を特定する出荷枠情報特定手段と、商品の棚卸資産残高を含めた資産残高に関する情報を格納する資産情報格納手段と、商品が出荷されると、前記商品の出荷により計上される棚卸資産の資産残高を算出して前記資産情報格納手段に格納された棚卸資産残高を更新する棚卸資産更新手段と、を備えており、前記出荷指示により指示された出荷数量が、前記出荷枠情報特定手段が特定した出荷枠の範囲内である場合には、前記棚卸資産更新手段は前記棚卸資産残高から減算する金額をゼロとする前記棚卸資産残高の更新を実行するか、又は前記棚卸資産更新手段を起動しないことを特徴とする。前記出荷指示が前記販売契約にかかる最初の出荷指示である場合には、前記棚卸資産更新手段は前記出荷枠の全ての数量に対応する資産額を算出して、前記資産情報格納手段に格納された棚卸資産残高から前記資産額を減算して棚卸資産残高を更新することを特徴としてもよい。
【手続補正８】
【補正対象書類名】明細書
【補正対象項目名】００２５
【補正方法】削除
【補正の内容】